(57)【要約】      （修正有）【課題】新型コロナウイリス（以下、ウイリスと称する）に紫外線を照射することによって同ウイリスを不活化させる循環式殺菌システムを提供する。【解決手段】ウイリスに紫外線を照射して殺菌する殺菌装置は室内のウイリスによって汚染された空気を吸入する吸気口１を備え、同吸入空気を流通させる吸気ダクト２を備え、同空気を圧送する送風機３を備え、同圧送空気を吸入して直方体形状の複数の中空容器８内に殺菌を行う４基の殺菌灯７が装備された滅菌チャンバー４を備え、滅菌チャンバー４によって殺菌された空気を排風する排気ダクト５を備え、そして、排気ダクト５に通風された空気を循環返送する排気口６を備えた装置であり、空気循環システムの運転作動中に殺菌灯７が照射する紫外線が一切外部に漏れないボックス形状の密閉構造の滅菌チャンバー４を組込んだ。【選択図】図３
0003230494.tif 000002
【実用新案登録請求の範囲】
【請求項１】
ウイリスに紫外線を照射して殺菌する当殺菌システムにおいて同システムに組込まれた滅菌チャンバー４に複数の直方体８の内部にそれぞれ４個の殺菌灯７が取付収納され同直方体の中心部を流体（吸入空気）が流通して同殺菌灯が発する紫外線によって同流体は殺菌されて排気口６より場内に排出されることを特徴とした循環式殺菌システム。
【考案の詳細な説明】
【技術分野】
【０００１】本考案は、屋内の空間に浮遊しているウイリスを送風機で吸引して同吸引流体（空気）をウイリス殺菌システムに組込まれた殺菌チャンバー４に誘導して同チャンバーに装備された殺菌灯７より紫外線を放出照射することによって同流体内のウイリスを殺菌せしめて浄化された空気を同屋内に再び戻す循環式の殺ウイリス装置である。
【背景技術】
【０００２】現今、新型コロナウイリスが世界に蔓延している。この病原菌により２０２０年８月末現在、全世界で死者は８２万人台に及んでいる。早急に抗ウイリスの対応策を講じる必要がある。現在、抗ウイリスの対応策は、巷では、器物の表面に付着しているウイリスをアルコール消毒により殺菌する方法、或いは、ヨード系のうがい薬で喉を洗浄して除菌する方法、そして、医学的にはワクチン療法が世界各国で研究開発され実験的に実施され成功したと報じられている。しかし、報道によると、当コロナウイリスは病原菌自体が変形して、ワクチンが効かないケースが観られると報じている。即ち、ウイリス感染による陽性から陰性に転じても再び、陽性になったことが報じられている。そうすると、新しいワクチンを再び開発する必要がありウイリスとワクチンのいたちごっこになって終う。これがワクチン療法の弱点である。又、当ウイリスに効く殺傷能力のある薬物（抗生物質）も未開発であるのが現状である。
【考案の概要】
【考案が解決しようとする課題】
【０００３】当ウイリスの感染源は器物に付着しているウイリスが人に感染する以外に、屋内の空間に浮遊しているウイリスによる空気感染が主体とされている。陽性の患者が咳をしたり、くしゃみをすると、即座に周りにウイリスが放出され第三者に空気感染するとされている。従って、行政側は頻繁にマスクの着用を奨励している。アルコール消毒、マスクの着用、ワクチン療法、或いは、三密を避ける、等は、当ウイリスへの対抗策として攻撃力は余りにも微弱で、より強い攻撃殺菌能力のある手段が待ち望まれる。
【課題を解決するための手段】
【０００４】そこで、本考案は、当ウイリスが人体に侵入する前に攻撃殺傷する手段として細菌を不活化（滅菌）することで知られている紫外線を利用した殺ウイリス装置を組入れたシステム（添付  図１、図２、及び、図３参照）を開発した
紫外線は殺菌能力が有ることは知られているが、その波長によって、ＵＶ―Ａ、ＵＶ―Ｂ、ＵＶ―Ｃの三つに分類される。
因みに、この”ＵＶ”の語源は、紫外線（Ｕｌｔｒａ  Ｖｉｏｌｅｔ  ｒａｙｓ）の頭文字である。【０００５】紫外線の波長による三つの分類及び、その特徴
（波長の単位は、”ｎＭ”―  ナノメートル、１０億分の１メートル）
ＵＶ―Ａ  は、波長は、４００  −  ３１５ｎＭで、人体へ直接照射すると皮膚の真皮層に作用して蛋白質を変質させて皮膚の弾性を失わせ老化を促進させる。又、皮膚のメラニン色素を酸化させて褐色に変化させる。所謂、日焼けを引起す。
ＵＶ―Ｂ  は、波長は、３１５  −  ２８０ｎＭで、直接人体に照射するとビタミンＤを生成する。片や、皮膚が赤くなり痛む、所謂、サンバーン（日焼け）となり、色素の沈着と黒化を引起す。
ＵＶ―Ｃ  は、波長は、２８０  −  ２００ｎＭで太陽光による当波長の紫外線は、オゾン層で守られ、地表には到達しない。強い殺菌性があり生体に対する破壊性が強い。生体に直接照射すると皮膚ガンの発現のリスクを伴う。
当装置は、ＬＥＤ化したこのＵＶ―Ｃ又は、低圧水銀ランプを流用してウイリスを殺傷する装置を組み入れたシステムである。レストラン、映画館、劇場、病院、等に導入設備することによって現在、繁殖、慢性化している新型コロナウイリスを少しでも不活化（滅菌）し人体への悪影響を排除することを目的とした考案である。【０００６】当該システムのプロセスは、（図１）及び（図３）のそれぞれの図（Ｂ）に表示されている。当該システムの中枢を為すのは、送風機３と殺菌チャンバー４で有る。同送風機によって吸気口１より室内空気を吸引し同殺菌チャンバーに圧送される。同殺菌チャンバーは、複数の直方体より構成され同直方体には４個の殺菌灯（（図２）及び（図３）のそれぞれの”Ｙ―Ｙ断面図”を参照）が収納され稼働時は、同殺菌灯より紫外線が放出されて流体（空気）を殺菌浄化して排気口より室内に戻される。このプロセスの繰返し運転により同室内空気は無菌に浄化される。
当該システムを設置する対象は、飲食店、レストラン、カラオケボックス、ライブハウス、事務所、映画館、劇場、病院、等であるが、浄化する空間の容量によって、次の二つに分類される。
小飲食店、カラオケボックス、等の比較的小さい空間の浄化には、（図３）の（Ａ）”室内据置用エアコン型ウイリス殺菌浄化装置”が流用される。同装置の滅菌チャンバーに収納される直方体８の本数は、適宜、浄化される流体（空気）の容量に応じて設定される。一例として、（図３）の（Ｃ）の滅菌チャンバーには、直方体が３本収納されており、３連式と呼称される。
一方、比較的大きな空間を滅菌浄化する場合は、（図１）（Ａ）に表示されている通り、浄化される室内の側壁に埋め込み式の吸気口と排気口を設けた殺菌システムが適用される。
一例として、（図２）の（Ｂ）に掲載されているシステムの滅菌チャンバー４には直方体が五つ収納されている。即ち、５連式である、浄化される空間の容量に応じて直方体の員数（本数）は適宜、設定される。【０００７】上記した通り、当滅菌灯は極めて殺菌性が強い半面、生体に対する破壊性も強い。従って、滅菌チャンバー４に収納して外部に同紫外線が露出しない構造を取っている。又、当滅菌灯は経年で消耗により交換度数の頻度が多いことが予測される。従って、（図２）（Ａ）に表示されている通り、当滅菌チャンバー４は、可搬式で同滅菌灯の取外し、取付を容易に行える構造としている。
【考案の効果】
【０００８】上記した通り、研究開発されているワクチンによる療法は人体に感染した場合の防衛的な予防手段である。しかし、ウイリスが変位した場合、対抗策として、又、新しいワクチンを開発する必要があり、ウイリス変位とワクチンのいたちごっこになることが予測される。当考案の殺ウイリス装置によるシステムは、人体にウイリスが侵入する前にウイリスを人体の外部で殺菌死滅させるテクノロジ―である。又、ワクチンは副作用が懸念されるが、本考案のシステムは健康被害を及ぼす懸念は無い。
【図面の簡単な説明】
【０００９】
【図１】（Ａ）図  本考案の殺ウイリス装置において殺菌浄化される室内の空気の絶対量が大容量の劇場、映画館、病院、等の場合は、室内の側壁に複数の吸気口と排気口を設けて吸気・排気の循環運転により流体中の殺菌を継続浄化する。（Ｂ）図  当殺ウイリス装置を組み入れた殺菌システムの概念図である。一例として、殺菌チャンバー４に収納される直方体は５連式の場合を示す。
【図２】（Ａ）図  同大容量の滅菌システムにおける可搬式滅菌チャンバー４の斜視図である。（Ｂ）図  同５連式チャンバー内の流体の流通経路を示す。Ｙ−Ｙ断面図は、同直方対８の内部に収納される殺菌灯７の取付け位置を示す。
【図３】（Ａ）図  本考案の殺菌システムにおいて殺菌浄化される室内の空気絶対量が比較的少量の飲食店、カラオケボックス、ライブハウス、等の場合に設置されエアコン型ウイリス殺菌浄化装置。（Ｂ）図  当殺菌システムの概念図である。一例として、殺菌チャンバー４に収納される直方体は３連式の場合を示す。（Ｃ）図  同３連式チャンバー内の流体の流通経路を示す。Ｙ−Ｙ断面図は、同直方対８の内部に収納される殺菌灯７の取付け位置を示す。
【符号の説明】
【００１０】符号        名称
１．      吸気口
２．      吸気ダクト
３．      送風機
４．      滅菌チャンバー
５．      排気ダクト
６．      排気口
７．      滅菌灯
８．      直方体、滅菌灯取付用
【図１】
0003230494.tif 000003
【図２】
0003230494.tif 000004
【図３】
0003230494.tif 000005
【手続補正書】
【提出日】令和2年11月4日(2020.11.4)
【手続補正１】
【補正対象書類名】実用新案登録請求の範囲
【補正対象項目名】全文
【補正方法】変更
【補正の内容】
【実用新案登録請求の範囲】
【請求項１】
ウイリスに紫外線を照射して殺菌する装置において、当考案の殺菌装置は室内のウィリスによって汚染された空気を吸入する吸気口１を備え、同吸入空気を流通させる吸気ダクト２を備え、同空気を圧送する送風機３を備え、同圧送空気を吸入して直方体形状の中空容器８内に殺菌を行う４基の殺菌灯７が装備され、前記直方体形状の中空容器を複数備えた滅菌チャンバー４を備え、同滅菌チャンバーによって殺菌された空気を排風する排気ダクト５を備え、そして、同ダクトに通風された空気を同室に循環返送する排気口６を備えた装置であり、該空気循環システムにおいて同システムの運転作動中に同殺菌灯が照射する紫外線が一切外部に漏れないボックス形状の密閉構造である滅菌チャンバー４を組込んだことを特徴とする紫外線による殺ウイリス装置。
【手続補正２】
【補正対象書類名】明細書
【補正対象項目名】０００９
【補正方法】変更
【補正の内容】
【０００９】
【図１】（Ａ）図  本考案の殺ウイリス装置において殺菌浄化される室内の空気の絶対量が大容量の劇場、映画館、病院、等の場合は、室内の側壁に複数の吸気口と排気口を設けて吸気・排気の循環運転により流体中の殺菌を継続浄化する。（Ｂ）図  当殺ウイリス装置を組み入れた殺菌システムの概念図である。一例として殺菌チャンバー４に収納される直方体は５連式の場合を示す。
【図２】（Ａ）図  同大容量の滅菌システムにおける可搬式滅菌チャンバー４の斜視図である。（Ｂ）図  同５連式チャンバー内の流体の流通経路を示す。Ｙ−Ｙ断面図は、同直方体８の内部に収納される殺菌灯７の取付け位置を示す。
【図３】（Ａ）図  本考案の殺菌システムにおいて殺菌浄化される室内の空気絶対量が比較的少量の飲食店、カラオケボックス、ライブハウス、等の場合に設置されエアコン型ウイリス殺菌浄化装置。（Ｂ）図  当殺菌システムの概念図である。一例として、殺菌チャンバー４に収納される直方体は３連式の場合を示す。（Ｃ）図  同３連式チャンバー内の流体の流通経路を示す。Ｙ−Ｙ断面図は、同直方体８の内部に収納される殺菌灯７の取付け位置を示す。